(57)【特許請求の範囲】
【請求項１】
光ピックアップによりレーザ光を光ディスクの記録面に照射し、光ディスクの記録面からの反射光に基づく信号から検査用信号を生成して、該検査用信号を検査することにより光ディスクの検査を行う光ディスク検査装置において、
該光ディスクを回転する回転手段と、
該光ディスクに記録された識別コードにレーザ光を照射し、該光ディスクからの反射光に基づく信号から検出した該識別コードの特定位置を回転基準位置として取得する回転基準位置取得手段と、
該検査用信号の波高値が所定値をクロスしたときエラー検出信号を出力するエラー判定手段と、
該光ディスクの回転位置を検出するとともに、該エラー判定手段からのエラー検出信号によりエラー箇所の回転位置を該回転基準位置からの回転角度として取得するエラー箇所回転位置検出手段と、
該光ディスクの半径位置を検出するとともに、該エラー判定手段からのエラー検出信号によりエラー箇所の半径位置を取得するエラー箇所半径位置検出手段と、
該エラー箇所回転位置検出手段にて検出されたエラー箇所の回転位置と該エラー箇所半径位置検出手段にて検出されたエラー箇所の半径位置とを用いて、該光ディスクの検査の結果を表示する表示手段に表示するための該光ディスクのエラー位置情報を作成するエラー位置情報作成手段と、
該回転基準位置取得手段により取得した回転基準位置と、該光ピックアップが該光ディスクに対して相対的に移動する方向と該回転手段を目視したときに真上となる位置から該回転手段の中心位置までの方向とがなす回転方向における角度とに基づいて、該回転手段による回転を停止する回転位置と画面表示する該エラー位置情報の回転基準位置を設定する回転位置設定手段と、
該回転位置設定手段により設定された回転位置で該回転手段による回転を停止する所定回転位置停止手段とを備え、
該エラー位置情報作成手段が、該回転位置設定手段により設定された回転基準位置で該エラー位置情報を作成することを特徴とする光ディスク検査装置。
【請求項２】
光ピックアップによりレーザ光を光ディスクの記録面に照射し、光ディスクの記録面からの反射光に基づく信号から検査用信号を生成して、該検査用信号を検査することにより光ディスクの検査を行う光ディスク検査装置において、
該光ディスクを回転する回転手段と、
該光ディスクに記録された識別コードにレーザ光を照射し、該光ディスクからの反射光に基づく信号から検出した該識別コードの特定位置を回転基準位置として取得する回転基準位置取得手段と、
該検査用信号の波高値が所定値をクロスしたときエラー検出信号を出力するエラー判定手段と、
該光ディスクの回転位置を検出するとともに、該エラー判定手段からのエラー検出信号によりエラー箇所の回転位置を該回転基準位置からの回転角度として取得するエラー箇所回転位置検出手段と、
該光ディスクの半径位置を検出するとともに、該エラー判定手段からのエラー検出信号によりエラー箇所の半径位置を取得するエラー箇所半径位置検出手段と、
該エラー箇所回転位置検出手段にて検出されたエラー箇所の回転位置と該エラー箇所半径位置検出手段にて検出されたエラー箇所の半径位置とを用いて、該光ディスクの検査の結果を表示する表示手段に表示するための該光ディスクのエラー位置情報を作成するエラー位置情報作成手段と、
該光ディスクのレーベル面におけるデザインの特定箇所を検出したタイミングで該回転手段による回転を停止させるとともに、停止した回転位置を該回転基準位置からの回転角度として取得する特定回転位置検出手段を備え、
該エラー位置情報作成手段が、該特定回転位置検出手段が検出した回転角度から該光ピックアップが該光ディスクに対して相対的に移動する方向と該回転手段を目視したときに真上となる位置から該回転手段の中心位置までの方向とがなす回転方向における角度を減算した回転角度に基づいて設定された回転基準位置で該エラー位置情報を作成することを特徴とする光ディスク検査装置。
【請求項３】
前記光ディスクに記録された識別コードにレーザ光を照射し、該光ディスクからの反射光に基づく信号から、該識別コードの全長を算出可能な情報を取得する識別コード検出手段と、
該識別コード検出手段が取得した識別コードの全長を算出可能な情報と、前記回転基準位置取得手段により取得した回転基準位置とに基づいて、該光ディスクの検査の結果を表示する表示手段に表示するための該識別コードの位置情報を作成する識別コード位置情報作成手段とを備えたことを特徴とする請求項１又は請求項２記載の光ディスク検査装置。
【請求項４】
光ピックアップによりレーザ光を光ディスクの記録面に照射し、光ディスクの記録面からの反射光に基づく信号から検査用信号を生成して、該検査用信号を検査することにより光ディスクの検査を行う光ディスク検査方法において、
該光ディスクを回転しつつ、
該光ディスクに記録された識別コードにレーザ光を照射し、該光ディスクからの反射光に基づく信号から検出した該識別コードの特定位置を、回転基準位置として取得し、
該検査用信号の波高値が所定値をクロスしたときエラー検出信号を出力し、
該光ディスクの回転位置を検出するとともに、該エラー検出信号が出力されたときエラー箇所の回転位置を該回転基準位置からの回転角度として取得し、
該光ディスクの半径位置を検出するとともに、エラー検出信号が出力されたときエラー箇所の半径位置を取得し、
該回転基準位置と、該光ピックアップが該光ディスクに対して相対的に移動する方向と該光ディスクを回転する回転手段を目視したときに真上となる位置から回転の中心位置までの方向とがなす回転方向における角度とに基づいて、回転を停止する回転位置と画面表示する該エラー位置情報の回転基準位置を設定し、
該回転を停止する回転位置で回転を停止し、
該エラー位置情報の回転基準位置で、該検出されたエラー箇所の回転位置と該検出されたエラー箇所の半径位置とを用いて、該光ディスクの検査の結果を表示するための該光ディスクのエラー位置情報を作成することを特徴とする光ディスク検査方法。
【発明の詳細な説明】
【技術分野】
【０００１】
本発明は、光ピックアップからレーザ光を光ディスクの記録面に照射し、光ディスクの記録面からの反射光に基づく信号により光ディスクの検査を行う光ディスク検査装置及び光ディスク検査方法に関し、より具体的には、光ディスクの記録面からの反射光に基づく信号により、光ディスクの記録面に存在するエラー箇所を検出して画面表示する光ディスク検査装置及び光ディスク検査方法に関する。
【背景技術】
【０００２】
従来より、光ピックアップ装置からレーザ光を光ディスクの記録面に照射し、光ディスクの記録面からの反射光に基づいて検査用信号を作成し、この検査用信号をデータ処理することにより光ディスクの検査を行う装置はよく知られている。この光ディスク検査装置には、例えば特許文献１で紹介されているように、光ディスクの表面にキズや異物等があることで検査用信号にエラーが発生した場合、エラー発生の場所の回転角度情報、半径位置情報及びエラーの範囲（すなわちキズや異物等の大きさ）を検出してデータ処理し、光ディスクのエラー情報として表示する機能のあるものがある。
【特許文献１】特開平１０−２１５４８号公報
【発明の開示】
【発明が解決しようとする課題】
【０００３】
しかしながら、従来の光ディスク検査装置では、同一の光ディスクでも光ディスクのセットの仕方によりエラー箇所の画面表示が図１０の（ａ），（ｂ）のように異なってしまい、ある光ディスクを後で再検査する場合、先の検査と同じ画面表示にならないという問題がある。
【０００４】
また、検査した光ディスクにおけるエラー箇所の画面表示が、目視した光ディスクにどのように対応するかは不明であり、決まった回転位置にエラー箇所がある場合や、レーベル面のデザインと記録面のエラー箇所に関係があっても見出せないという問題がある。
【０００５】
本発明は、このような事情に鑑みてなされたもので、同一の光ディスクを何度測定してもエラー箇所の画面表示が同一になり、また目視した光ディスクとエラー箇所の画面表示とを対応づけることができる光ディスク検査装置及び光ディスク検査方法を提供することにある。
【課題を解決するための手段】
【０００６】
請求項１記載の光ディスク検査装置は、光ディスクを回転する回転手段と、光ディスクに記録された識別コードにレーザ光を照射し、光ディスクからの反射光に基づく信号から検出した識別コードの特定位置を回転基準位置として取得する回転基準位置取得手段と、検査用信号の波高値が所定値をクロスしたときエラー検出信号を出力するエラー判定手段と、光ディスクの回転位置を検出するとともに、エラー判定手段からのエラー検出信号によりエラー箇所の回転位置を回転基準位置からの回転角度として取得するエラー箇所回転位置検出手段と、光ディスクの半径位置を検出するとともに、エラー判定手段からのエラー検出信号によりエラー箇所の半径位置を取得するエラー箇所半径位置検出手段と、エラー箇所回転位置検出手段にて検出されたエラー箇所の回転位置とエラー箇所半径位置検出手段にて検出されたエラー箇所の半径位置とを用いて、光ディスクの検査の結果を表示する表示手段に表示するための光ディスクのエラー位置情報を作成するエラー位置情報作成手段と、回転基準位置取得手段により取得した回転基準位置と、光ピックアップが光ディスクに対して相対的に移動する方向と回転手段を目視したときに真上となる位置から回転手段の中心位置までの方向とがなす回転方向における角度とに基づいて、回転手段による回転を停止する回転位置と画面表示するエラー位置情報の回転基準位置を設定する回転位置設定手段と、回転位置設定手段により設定された回転位置で回転手段による回転を停止する所定回転位置停止手段とを備え、エラー位置情報作成手段が、回転位置設定手段により設定された回転基準位置でエラー位置情報を作成することを特徴とする。
【０００７】
請求項２記載の光ディスク検査装置は、光ディスクを回転する回転手段と、光ディスクに記録された識別コードにレーザ光を照射し、光ディスクからの反射光に基づく信号から検出した識別コードの特定位置を回転基準位置として取得する回転基準位置取得手段と、検査用信号の波高値が所定値をクロスしたときエラー検出信号を出力するエラー判定手段と、光ディスクの回転位置を検出するとともに、エラー判定手段からのエラー検出信号によりエラー箇所の回転位置を回転基準位置からの回転角度として取得するエラー箇所回転位置検出手段と、光ディスクの半径位置を検出するとともに、エラー判定手段からのエラー検出信号によりエラー箇所の半径位置を取得するエラー箇所半径位置検出手段と、エラー箇所回転位置検出手段にて検出されたエラー箇所の回転位置とエラー箇所半径位置検出手段にて検出されたエラー箇所の半径位置とを用いて、光ディスクの検査の結果を表示する表示手段に表示するための光ディスクのエラー位置情報を作成するエラー位置情報作成手段と、光ディスクのレーベル面におけるデザインの特定箇所を検出したタイミングで回転手段による回転を停止させるとともに、停止した回転位置を回転基準位置からの回転角度として取得する特定回転位置検出手段を備え、エラー位置情報作成手段が、特定回転位置検出手段が検出した回転角度から光ピックアップが光ディスクに対して相対的に移動する方向と回転手段を目視したときに真上となる位置から回転手段の中心位置までの方向とがなす回転方向における角度を減算した回転角度に基づいて設定された回転基準位置でエラー位置情報を作成することを特徴とする。
【０００８】
請求項３記載の光ディスク検査装置は、光ディスクに記録された識別コードにレーザ光を照射し、光ディスクからの反射光に基づく信号から、識別コードの全長を算出可能な情報を取得する識別コード検出手段と、識別コード検出手段が取得した識別コードの全長を算出可能な情報と、回転基準位置取得手段により取得した回転基準位置とに基づいて、光ディスクの検査の結果を表示する表示手段に表示するための識別コードの位置情報を作成する識別コード位置情報作成手段とを備えたことを特徴とする。
【０００９】
請求項４記載の光ディスク検査方法は、光ディスクを回転しつつ、光ディスクに記録された識別コードにレーザ光を照射し、光ディスクからの反射光に基づく信号から検出した識別コードの特定位置を、回転基準位置として取得し、検査用信号の波高値が所定値をクロスしたときエラー検出信号を出力し、光ディスクの回転位置を検出するとともに、エラー検出信号が出力されたときエラー箇所の回転位置を回転基準位置からの回転角度として取得し、光ディスクの半径位置を検出するとともに、エラー検出信号が出力されたときエラー箇所の半径位置を取得し、回転基準位置と、光ピックアップが光ディスクに対して相対的に移動する方向と光ディスクを回転する回転手段を目視したときに真上となる位置から回転の中心位置までの方向とがなす回転方向における角度とに基づいて、回転を停止する回転位置と画面表示するエラー位置情報の回転基準位置を設定し、回転を停止する回転位置で回転を停止し、エラー位置情報の回転基準位置で、検出されたエラー箇所の回転位置と検出されたエラー箇所の半径位置とを用いて、光ディスクの検査の結果を表示するための光ディスクのエラー位置情報を作成することを特徴とする。
【発明の効果】
【００１５】
請求項１及び請求項４の発明によれば、光ディスクに記録された識別コードの特定位置を回転基準位置として、エラー箇所の回転位置を回転基準位置からの回転角度として取得するようにしたことから、識別コードの特定位置は同一の光ディスクであれば常に同じ位置にあるので何度測定してもエラー位置情報の表示手段における表示を同一にすることができる。また、回転基準位置と、光ピックアップの光ディスクに対する相対的な移動方向と回転手段を目視したときに真上となる位置から回転手段の中心位置までの方向とがなす回転方向における角度とに基づいて回転を停止する回転位置と表示手段で表示するエラー位置情報の回転基準位置とを設定するようにしたことから、目視した光ディスクの回転基準位置と表示するエラー位置情報の回転基準位置とを合わせることができ、識別コードを目視で確認することなく、目視した光ディスクと表示手段にエラー位置表示された光ディスクとを対応づけることができる。
【００１６】
請求項２の発明によれば、光ディスクに記録された識別コードの特定位置を回転基準位置として、エラー箇所の回転位置を回転基準位置からの回転角度として取得するようにしたことから、識別コードの特定位置は同一の光ディスクであれば常に同じ位置にあるので何度測定してもエラー位置情報の表示手段における表示を同一にすることができる。また、光ディスクのレーベル面におけるデザインの特定箇所を検出したタイミングで回転手段による回転を停止させるとともに、停止した回転位置を回転基準位置からの回転角度として取得し、検出した回転角度から光ピックアップが光ディスクに対して相対的に移動する方向と回転手段を目視したときに真上となる位置から回転手段の中心位置までの方向とがなす回転方向における角度を減算した回転角度に基づいて設定された回転基準位置でエラー位置情報を作成することから、光ディスクのレーベル面の統一した向きにおける、エラー位置情報を表示手段に表示することができる。
【００１７】
請求項３の発明によれば、表示手段に光ディスクのエラー位置情報とともに識別コードの位置情報を表示できるようにしたことから、目視した光ディスクとエラー位置情報の表示手段における表示との対応づけをより容易に行うことができる。
【発明を実施するための最良の形態】
【００２１】
以下、本発明の形態について図面を参照しながら具体的に説明する。本発明の形態における光ディスク検査装置は、光ピックアップ装置からレーザ光を光ディスクの記録面に照射し、光ディスクの記録面からの反射光に基づく信号により、光ディスクの検査を行うものである。
【００２２】
図１は、本発明に係る光ディスク検査装置を示す構成図である。図２は、識別コードの最初のバーが終了する位置を回転基準位置として回転データを補正する様子を視覚的に示した説明図である。図３は、光ディスクの回転停止位置を視覚的に示した説明図である。図４は、光ディスクのエラー位置を、目視した光ディスクに合わせて画面表示する方法を視覚的に示した説明図である。図５は、本発明の光ディスク検査装置が実行するプログラムのフローチャートである。図６は、本発明の光ディスク検査装置が実行する別のプログラムのフローチャートである。図７は、本発明の光ディスク検査装置が実行するさらに別のプログラムのフローチャートである。図８は、識別コードが記録された光ディスクの説明図である。図９は、識別コードと識別コードの再生信号の波形とを対比させた説明図である。
【００２３】
図において、本実施例の光ディスク検査装置１は、表示装置５０６や入力装置５０４を備えたコントローラ５０２の他、光ピックアップ装置２０１からレーザ光を光ディスクＤＫの記録面に照射し、光ディスクＤＫの記録面からの反射光に基づく信号により光ディスクＤＫの検査を行う一般的な光ディスク検査装置を構成するＨＦ信号増幅回路１０２、フォーカスエラー信号生成回路１０４、フォーカスサーボ回路１０６、ドライブ回路１０８，１２４、トラッキングエラー信号生成回路１２０、トラッキングサーボ回路１２２、再生信号生成回路１３０、ウォブル信号取り出し回路１４０、レーザ駆動回路２０２、スピンドルモータ３０１、スピンドルモータ制御回路３０２、ターンテーブル３０６、回転角度検出回路３１２、フィードモータ４００、フィードモータ制御回路４０２、半径位置検出回路４１２等から構成されている。また、一般的な光ディスク検査装置の構成に加え、２値化信号生成回路１３２、ＢＣＡデータ読み出し回路１３４、ＢＣＡデータデコード回路１３６、信号切換回路２０６、クロック信号発生回路２０８、Ａ／Ｄ変換器２１０、エラー判定回路２１２、データ保存回路（１）２１４、データ保存回路（２）３１４、データ保存回路（３）４１４等を備えている。
【００２４】
ＤＶＤやＨＤ  ＤＶＤ  Ｂｌｕ−ｒａｙ  Ｄｉｓｃなどの光ディスクＤＫには図８に示すように、所定の半径位置にあるバース卜カッティシグエリア（ＢＣＡ：burst cutting area）に識別コードであるバーコード（以下、ＢＣＡ記録という）が形成されている。形成されたＢＣＡ記録を拡大して示すと図９（ａ）に示したようにバーコードのバーが複数並び、バーとバーとの間隔が異なる模様になっている。バーとバーの間隔には通常４種類あり、この４種類の間隔により符号化されたデータ（１，２，３，４に相当する数字の並びにより形成されたデータ、以下ＢＣＡデータという）が形成されている。
【００２５】
再生信号生成回路１３０は、光ディスクＤＫを回転しながらＢＣＡ記録にレーザ光を照射したときの反射光の光量から再生信号（図９（ｂ））を生成し出力する。２値化信号生成回路１３２は、再生信号生成回路１３０からの再生信号を、所定レベルで設定されたスライスレベルにより、図９（ｃ）に示すようなハイレベルとローレベルとからなる２値化信号を作成し、出力する。ＢＣＡデータ読み出し回路１３４は、コントローラ５０２の指令により作動開始し、２値化信号生成回路１３２から入力した２値化信号からＢＣＡデータをデジタルデータで作成し、ＢＣＡデータデコード回路１３６とコンローラ５０２に出力して作動を停止する。ＢＣＡデータは１，２，３，４に相当する数字の並びにより形成されたデータであり、４種類のバーとバーとの間隔、バーの幅及びＢＣＡ記録の半経位置は規格で決まっており、後述するようにＢＣＡ記録の特定位置は回転基準位置として定まるので、コントローラ５０２はＢＣＡデータを基にＢＣＡ記録の模様を表示装置５０６に表示することができる。ＢＣＡデータデコード回路１３６は、ＢＣＡデータを復号して、符号化する前のデータにし、コンローラ５０２に出力する。
【００２６】
クロック信号発生回路２０８は、コントローラ５０２からの指示を受けると、所定周期のパルス信号を出力する。Ａ／Ｄ変換器２ｌ０は、クロック信号発生回路２０８からのクロック信号を受け、所定間隔で信号切換回路２０６が出力する信号をサンプリングして波高値をディジタルデータに変換して、データ保存回路（１）２ｌ４に出力する。信号切換回路２０６は、コントローラ５０２の指示によりＡ／Ｄ変換器２１０に出力する信号として、フォーカスエラー信号、トラッキングエラー信号、再生信号のいずれか少なくとも１つを選択する。
【００２７】
エラー判定回路２ｌ２は、コンパレータと時間計測回路で構成されており、信号切換回路２０６からの信号の波高値が所定のレベルをクロスし、再度所定のレベルをクロスした際、最初のクロスから次のクロスまでの時間が所定時間より長い場合は、エラー検出を表す信号を、データ保存回路（１）２１４，データ保存回路（２）３１４，データ保存回路（３）４１４に出力する。最初のクロスから次のクロスまでの時間を計測するのは、信号にノイズがあるためである。また、エラー判定回路２ｌ２は、コントローラ５０２からの指令によりエラー検出レベルがＢＣＡ検出用のレベルに設定されると、レーザ光がＢＣＡ記録のバーを通過し終わる時点で検出信号をコントローラ５０２に出力する。コントローラ５０２は、後述するようにプログラム処理で、レーザ光がＢＣＡ記録の最初のバーを通過し終わる時点における検出信号を認識し、認識した時点で回転角度検出回路３１２が出力する回転角度θａを取り込む。
【００２８】
データ保存回路（１）２１４は、内部にＲＡＭ等のメモリ領域を備え、コントローラ５０２から検査開始の指令が入力すると作動を開始してＡ／Ｄ変換器２ｌ０からのディジタルデータをメモリ領域に記憶していき、記憶したディジタルデータの数が所定数（例えば１０００００個）に達すると、再び最初からメモリしていく。そして、エラー判定回路２ｌ２からの信号を受け取ると、ディジタルデータの記憶を停止し、最後に記憶したデータを識別するためのフラグを最後に記憶したディジタルデータの領域から所定数後の領域に入れる。そしてメモリの別の領域で再びディジタルデータの記憶を開始する。そして、コントローラ５０２からデータ取り込みの指示があると、メモリに記憶したディジタルデータをコントローラ５０２へ出力して作動を停止する。以下、このディジタルデータを波高値データＤという。尚、本実施例ではデータ保存回路（１）２１４、Ａ／Ｄ変換器２１０を１つにし、信号切換回路２０６により検査用信号としてフォーカスエラー信号、トラッキングエラー信号又は再生信号のいずれかを選択できるように構成したが、信号切換回路２０６をなくし、エラー判定回路２１２、データ保存回路（１）２１４、Ａ／Ｄ変換器２１０をそれぞれ３つにしてフォーカスエラー信号、トラッキングエラー信号および再生信号のうちの少なくとも１つの信号の波高値データＤを保存し、後述するプログラム処理により複数の信号による評価を一度に行ってもよい。
【００２９】
回転角度検出回路３１２は、スピンドルモータ３０１にあるエンコーダからのパルス信号を受け取り、パルス数をカウントしてカウント数から回転角度を計算し、回転角度に相当するディジタルデータをデータ保存回路（２）３１４に出力する。また、回転角度に相当する信号をコントローラ５０４に出力することにより、エラー判定回路２１２がＢＣＡ記録の特定位置（最初のバーが終わる位置）における検出信号を出力した際の回転角度θａをコントローラ５０２が取得できるようになっている。尚、エンコーダからインデックス信号が入力されるとカウント数をクリアして０にする。すなわち、インデックス信号が入力された時点が回転角度０°となる。尚、インデックス信号によらず、任意の回転位置からカウントを開始してカウント数が１回転に相当する値に達すると、カウント数をクリアにして０にするようにしてもよい。この場合、カウントを開始した回転位置がインデックス信号が入力する回転位置に相当する。
【００３０】
データ保存回路（２）３１４は、内部にＲＡＭ等のメモリ領域を備え、コントローラ５０２から検査開始の指令が入力すると作動を開始してエラー判定回路２１２から信号を受け取ると、回転角度に相当するディジタルデータを記憶する。そして、コントローラ５０２からデータ取り込みの指示があると、メモリ領域に記憶したディジタルデータをコントローラ５０２へ出力して作動を停止する。以下、このディジタルデータを回転データθという。半径位置検出回路４１２は、フィードモータ４００にあるエンコーダからのパルス信号とインデックス信号を入力し、パルス数をカウントしてカウント数から半径位置を計算し、半径位置に相当する信号を出力する。データ保存回路（３）４１４は、内部にＲＡＭ等のメモリ領域を備え、コントローラ５０２から検査開始の指令が入力すると作動を開始してエラー判定回路２１２から信号を受け取ると、半径位置に相当するディジタルデータを記憶する。そして、コントローラ５０２からデータ取り込みの指示があると、メモリ領域に記憶したディジタルデータをコントローラ５０２へ出力して作動を停止する。以下、このディジタルデータを半径位置データｒという。
【００３１】
このように構成した光ディスク検査装置１において、作業者は検査する光ディスクＤＫをターンテーブル３０６にセットし、装置を作動させた後、検査の条件として、検査用信号、検査開始する半径位置、検査終了する半径位置を入力装置５０４から入力し、検査開始を入力する。作業者が入力装置５０４から検査開始を入力すると、図５に示されたフローのプログラムがスタートし、光ディスクＤＫが回転するとともに（Ｓ１０２）、レーザ光の照射位置が、ＢＣＡ記録がある半径位置になるまでフィードモーター４００が駆動する（Ｓ１０４）。次に、信号切換回路２０６が出力する信号を再生信号に設定し（Ｓ１０５）、エラー判定回路２１２のエラー検出レベルをＢＣＡ記録の検出用に設定し（Ｓ１０６）、通常の光ディスク装置のようにレーザ光が照射されてフォーカスサーボが開始される（Ｓ１０８，Ｓ１１０）。この状態において、エラー判定回路２１２からレーザ光がＢＣＡ記録のバーを通過し終わる時点ごとに検出信号が入力するので、検出信号が入力してから所定時間が経過しても次の検出信号が入力しないときを検出する（Ｓ１１２〜Ｓ１１８）。これはレーザ光がＢＣＡ記録がされていない領域に照射されているときを検出する処理である。言い換えればこれからＢＣＡ記録の最初のバーからレーザー光が照射されるときを検出する処理である。そして、検出した時点でＢＣＡデータ読み出し回路１３４を作動させ（Ｓ１２０）、次にエラー判定回路２１２から検出信号が入力した時点で（すなわちレーザ光がＢＣＡ記録の最初のバーを通過し終わる時点で）回転角度検出回路３１２が出力する回転角度θａを取り込む（Ｓ１２２，Ｓ１２４）。
【００３２】
レーザ光がＢＣＡ記録のバーをすべて通過し終わるとＢＣＡデータ読み出し回路１３４からＢＣＡデータが入力するのでフォーカスサーボを停止し（Ｓ１２６，Ｓ１２８）、検査を開始する半径位置に移動し（Ｓ１３０）、光ディスクのエラー箇所の検査が開始される（Ｓ１３２〜Ｓ１３６）。尚、この時、信号切換回路２０６が出力する信号を入力された検査信号に設定し（Ｓ１３３）、エラー判定回路２１２のエラー検出レベルをエラー検出用のレベルに戻している（Ｓ１３４）。検査が開始されると、エラー判定回路２１２が検査用信号にエラーが発生するごとに信号を出力し、これにより、波高値データＤ（ｎ）、回転データθ（ｎ）、半径位置データｒ（ｎ）がエラーの発生順にデータ保存回路（１）２１４、データ保存回路（２）３１４、データ保存回路（３）４１４に記憶される。そして、検査が終了する半径位置になると（Ｓ１３８−ＹＥＳ）、コントローラ５０２からの停止命令によりレーザ光の照射や光ディスクＤＫの回転が停止し（Ｓ１４０〜Ｓ１４４）、コントローラ５０２からのデータ取り込み指令によりデータ保存回路（１）２１４、データ保存回路（２）３１４、データ保存回路（３）４１４から波高値データＤ（ｎ）、回転データθ（ｎ）、半径位置データｒ（ｎ）がコントローラ５０２に入力する。
【００３３】
次に、取得した回転データθ（ｎ）を先に取得したＢＣＡ記録の特定位置の回転角度θａで補正する（Ｓ１４８）。具体的には、θ（ｎ）’＝θ（ｎ）−θａを回転データθ（ｎ）’とする。これによりエラー箇所の回転データはＢＣＡ記録の特定位置を回転基準位置としたデータとすることができる。この補正について、図２により説明する。スピンドルモータ３０１に設けられたエンコーダは、スピンドルモータ３０１が１回転すると、即ちターンテーブル３０６や光ディスクＤＫが１回転するとインデックス信号を出力する。そして、エラー箇所の回転データθ（ｎ）は、インデックス信号が検出されてからの回転角度として取得される。これは、光ディスクＤＫを固定し光ディスクＤＫ上に形成されるレーザスポットが回転すると考えると、光ディスクＤＫのどこかにインデックス信号が発生する回転位置ＩＮＤがあり、レーザスポットがこの回転位置ＩＮＤを通過した点を回転基準位置（回転角度０°）として、レーザスポットがエラー箇所を通過した時点の回転角度を回転データθ（ｎ）として取得すると考えることができる。
【００３４】
また、ＢＣＡ記録の特定位置（最初のバーが終了する位置）の回転角度θａは、レーザスポットが回転位置ＩＮＤを通過した点を回転基準位置（回転角度０°）として、レーザスポットがＢＣＡ記録の特定位置を通過した時点の回転角度を回転角度θａとして取得すると考えることができる。従って、図２に示すよう、θ（ｎ）−θａの値は、ＢＣＡ記録の特定位置Ａを回転基準位置（回転角度０°）としたときのエラー箇所の回転角度である。
【００３５】
回転データθ（ｎ）の補正の後、エラー範囲Ｌ（ｎ）が計算される（Ｓ１５０）。擬態的には、検査用信号の波高値データＤ（ｎ）の中で所定レベルより大きい波高値データの数ｍにＴをかけてエラー範囲Ｌ（ｎ）（エラー長さ）を出す。このデータ数ｍのカウント及びエラー範囲Ｌ（ｎ）の算出は、個々の波高値データＤ（ｎ）ごとに行われる。厳密にはエラー範囲Ｌ（ｎ）は（ｍ−１）×Ｔであるが、ｍの数が多いのでｍ−１はｍとみなしてよい。尚、Ｔは（検査用信号の波高値のサンプリング間隔ｔ）×（設定されている線速度ｓ）で出された長さの単位で、ｍ×Ｔはエラー範囲を長さ単位で表したものである。尚、Ｔを（サンプリング間隔ｔ）×（線速度ｓ）に（ｌ８０°／ｒ・π）をかけて、ｍ×Ｔで算出するエラー範囲Ｌ（ｎ）を角度の単位にしてもよい。エラー範囲Ｌ（ｎ）が計算された後（Ｓ１３２）、回転データθ（ｎ）’、半径データｒ（ｎ）、エラー範囲Ｌ（ｎ）により光ディスク上のエラー位置が表示装置５０６の画面に表示される（Ｓ１５２）。このとき、表示装置５０６の画面における回転基準位置を常に同じ位置にしておけば、回転データθ（ｎ）’の回転基準位置は常にＢＣＡ記録の特定位置であるので、同一のディスクであれば常に同じ結果を画面に表示することができる。また、ＢＣＡ記録を目視すれば目視した光ディスクとエラー箇所の画面表示とを対応づけることができる。
【００３６】
上記方法では、回転データθ（ｎ）を補正することによりＢＣＡ記録の特定位置を回転基準位置（回転角度０°）にしたが、補正をせず取得した回転データθ（ｎ）を、ＢＣＡ記録の特定位置を回転基準位置（回転角度０°）にしたデータとすることもできる。図６はそのプログラムのフローを示しており、この方法においては、回転角度検出回路３１２は、コントローラ５０２から回転基準位置を示す信号が入力してから回転角度の検出を開始し、検出した回転角度が３６０°に達すると０°にもどって回転角度の検出を続行するようにし、図５の回転角度θａの取り込み（Ｓ１２４）を回転基準位置信号の出力に変え（Ｓ２２４）、取得した回転データθ（ｎ）を先に取得したＢＣＡ記録の特定位置での回転角度θａで補正する（Ｓ１４８）部分を除外している。この方法によっても、図５のフローのプログラムと同様の効果を得ることができる。
【００３７】
尚、上記の方法によれば、同一の光ディスクであれば常に同じ結果を画面に表示することができるが、ＢＣＡ記録を目視しないと光ディスクＤＫと、表示装置５０６の画面に表示されたエラー位置表示の光ディスクとを対応づけることはできない。そこで、光ディスクＤＫを回転停止させる位置を制御すれば、ＢＣＡ記録を目視せずとも目視した光ディスクＤＫと、画面に表示されたエラー位置表示の光ディスクとを対応づけることができる。光ディスクＤＫを回転停止させる位置について以下に説明する。
【００３８】
まず、回転角度がθａとなった時点でレーザ光が集光している位置は、回転基準位置である。言い換えると、回転角度θａにおけるレーザ光の集光位置の移動方向（即ち光ピックアップの移動方向）は回転基準位置と同一である。尚、回転角度検出回路３１２が、ＢＣＡ記録の特定位置を回転基準位置（回転角度０°）にして回転角度を検出している場合は、θａは０°である。
【００３９】
図３に示すように、レーザ光の集光位置の移動方向（光ピックアップの移動方向）Ｐに対する目視方向Ｔが成す回転方向の角度をθｐとすると、回転角度θａ＋θｐにおいては、ＢＣＡ記録の特定位置すなわち回転基準位置は、回転中心からの目視方向Ｔにある。従って、回転角度θａ＋θｐで光ディスクＤＫの回転を停止させ、エラー位置の画面表示における回転基準位置を真上にすれば、そのまま目視した光ディスクＤＫと、画面に表示されたエラー位置表示の光ディスクとを対応づけることができる。
【００４０】
光ディスクＤＫの回転を、回転角度θａ＋θｐで停止させるには図５の回転停止（Ｓ１４４）と各種エラー情報データの取り込み（Ｓ１４６）の間に図７で示すフローのプログラムを実行すればよい。このプログラムは、回転停止の指令を出し（Ｓ１４４）、スピンドルモータ３０１の回転が停止した後（Ｓ１４５−１）、回転停止の指令と共に回転が停止する超低速回転で回転を開始し（Ｓ１４５−２）、回転角度がθａ＋θｐになった時点で（Ｓ１４５−３〜５）、回転停止の指令を出す（Ｓ１４５−６）ようになっている。尚、光ディスクＤＫの回転を停止させる位置は回転角度θａ＋θｐに限らず、回転角度θａ＋θｐ＋αとして、エラー位置の画面表示における回転基準位置を真上からαの角度分回転するようにすれば、任意の位置に設定することができる。これにより、ＢＣＡ記録を目視せずとも目視した光ディスクＤＫと、画面に表示されたエラー位置表示の光ディスクとを対応づけることができる。
【００４１】
尚、表示装置５０６の画面表示は、図４に示すように実線で示す半径データｒ（ｎ）と回転データθ（ｎ）に基づいてエラー位置が表示される。また、画面の回転基準位置が一定であれば、画面表示にＢＣＡ記録を入れなくても目視の光ディスクと表示されたエラー位置表示の光ディスクとを対応づけることができるが、画面表示にＢＣＡ記録を入れれば、目視で光ディスクのＢＣＡ配録を確認する場合に対応づけをより容易に行うことができる。目視した光ディスクＤＫをレーベル面から投影した形でエラー位置を表示させたいときは、点線で示すように、回転角度の方向を逆にし、さらに回転基準位置から右回りになっているＢＣＡ記録を左回りにすればよい。
【００４２】
上記の方法によれば、目視で光ディスクＤＫのＢＣＡ記録を確認せずとも、目視した光ディスクＤＫと画面に表示されたエラー位置表示の光ディスクとを対応づけることができるが、回転基準位置に対する光ディスクのレーベル面のデザインの向きは様々であるので、目視した光ディスクＤＫにおけるレーベル面のデザインの向きは様々になり、光ディスクＤＫのレーベル面のデザインとエラー位置に関係があっても（レーベル面に印刷を行う装置により記録面に傷が入ることがある場合起こる可能性がある）、見出しにくい。
【００４３】
そこで、作業者が入力装置５０４から回転指示を与え、スピンドルモータ３０１が超低速回転し、作業者の目視による指示で回転停止指示を与えると回転停止するようにして、レーベル面のデザインが所定の向きになるようにし、回転停止した位置における回転角度と回転基準位置とに基づいて、画面にエラー位置表示される光ディスクの回転基準位置を定めて表示するようにする。尚、作業者の目視に代えて、センサーにより回転停止指示を行ってもよい。
【００４４】
具体的には、回転停止した位置における回転角度をθｓとすると、θｓ＝θａ＋θｐ＋αを満たすαを計算し、真上を回転基準位置にした画面上のエラー位置表示の光ディスクをα分の角度回転させるようにすればよい。このとき、θｐが正確な値であれば、ＢＣＡ記録を目視せずに目視した光ディスクＤＫを画面上のエラー位置表示の光ディスクに対応付けることができた上、レーベル面のデザインの向きを統一してエラー位置表示を行うことができる。ただし、θｐに任意の値を用いたり、θｐを除外してαを計算したりしても、同一の光ディスクにおいては常に表示装置５０６の画面に同一のエラー位置表示を行うことができ、検査したすべての光ディスクにおけるレーベル面のデザインの向きを統一してエラー位置表示を行うことができる。尚、αは光ディスクにより異なっているため画面における回転基準位置は光ディスクごとに異なる。よって、図４に示すようにＢＣＡ記録をエラー箇所と同時に画面に表示するとよい。
【００４５】
尚、上記方法では作業者が入力装置５０４から回転指示と回転停止指示を与えることで光ディスクＤＫが回転するようにしたが、作業者が目視で行うとレーベル面のデザインの向きは完全には統一されないため、これに替えて、光ディスクＤＫにおけるレーベル面のデザインの１箇所をセンサーで検出して光ディスクＤＫを停止させるようにし、回転停止した位置における回転角度をθｓとしてθｓ＝θａ＋θｐ＋αを満たすαを計算し、表示装置５０６の画面にエラー位置表示される光ディスクの回転基準位置を真上からα分の角度回転させて表示するようにしてもよい。これによれば、自動で光ディスクＤＫにおけるレーベル面のデザインの向きを統一してエラー位置表示を行うことができる。
【００４６】
以上のように上記説明の光ディスク検査装置によれば、光ディスクＤＫに記録されたＢＣＡ記録の特定位置を回転基準位置として、エラー箇所の回転位置を回転基準位置からの回転角度として取得するようにしたことから、ＢＣＡ記録の特定位置は同一ディスクであれば常に同じ位置にあるので何度測定してもエラー位置情報の表示手段である表示装置５０６への表示を同一にすることができる。
【００４７】
また、エラー箇所の回転位置を回転基準位置からの回転角度として取得する方法として、ＢＣＡ記録の特定位置を検出したときの回転角度を取得し、エラー検出したときの回転角度をＢＣＡ記録の特定位置を検出したときの回転角度で補正するようにすることで、精度よくエラー箇所の回転位置を回転基準位置から回転角度として取得できる。
【００４８】
さらに、エラー箇所の回転位置を回転基準位置からの回転角度として取得する方法として、ＢＣＡ記録の特定位置を検出したときから回転角度を検出する（３６０°回転するごとに０°に戻る）ようにしても、精度よくエラー箇所の回転位置を回転基準位置から回転角度として取得できる。
【００４９】
さらに、回転基準位置と、光ピックアップ装置２０１の移動方向と回転手段を目視したときに真上となる位置から回転手段の中心位置までの方向とがなす回転方向における角度とに基づいて回転を停止する回転位置と表示手段で表示するエラー位置情報の回転基準位置とを設定するようにすることで、目視した光ディスクＤＫの回転基準位置と表示するエラー位置情報の回転基準位置とを合わせることができ、ＢＣＡ記録を目視で確認することなく、目視した光ディスクと表示装置５０６にエラー位置表示された光ディスクとを対応づけることができる。
【００５０】
さらに、光ディスクＤＫのレーベル面におけるデザインの特定箇所を検出したタイミングで回転を停止させるとともに、停止した回転位置を回転基準位置からの回転角度として取得し、検出した回転角度から光ピックアップ装置２０１が光ディスクＤＫに対して相対的に移動する方向と回転手段を目視したときに真上となる位置から回転手段の中心位置までの方向とがなす回転方向における角度を減算した回転角度に基づいて設定された回転基準位置でエラー位置情報を作成することで、光ディスクＤＫのレーベル面の統一した向きにおける、エラー位置情報を表示することができる。
【００５１】
さらに、表示手段である表示装置５０６に光ディスクのエラー位置情報とともにＢＣＡ記録の位置情報を表示できるようにしたことから、目視した光ディスクとエラー位置情報の表示手段における表示との対応づけをより容易に行うことができる。
【００５２】
尚、本発明の実施形態においては様々な変形が可能である。上記実施形態では、ＢＣＡ記録の最初のバーが終了する位置を回転基準位置にしたが、所定レべルを超えた時点でエラー検出信号を出力するようにして最初のバーの開始時点を回転基準位置にしてもよいし、最初からエラー検出信号数のカウントをして所定回数のカウントを検出した後のエラー検出信号により途中のバーの開始又は終了位置を回転基準位置にしてもよいし、またエラー検出信号が出力するごとに回転データθを取得し、エラー検出信号が出力してから所定時間以上エラー検出信号が出力されない場合のエラー検出信号が出力した時の回転データθを採用することで、最後のバーの開始時点または終了時点を回転基準位置にしてもよい。
【００５３】
さらに、上記実施形態では、ＢＣＡ記録をエラー箇所とともに画面表示するために、ＢＣＡデータを取得したが、画面にはＢＣＡ記録の全長を表示できればいいので、ＢＣＡデータの代わりに、ＢＣＡ記録の最後のバーの回転位置を取得するようにしてもよい。
【産業上の利用可能性】
【００５４】
以上のように、本発明によれば、同一の光ディスクを何度測定してもエラー箇所の画面表示が同一になり、また目視した光ディスクとエラー箇所の画面表示とを対応づけることができる光ディスク検査装置及び光ディスク検査方法を提供することができる。
【図面の簡単な説明】
【００５５】
【図１】本発明に係る光ディスク検査装置を示す構成図である。
【図２】識別コードの最初のバーが終了する位置を回転基準位置として回転データを補正する様子を視覚的に示した説明図である。
【図３】光ディスクの回転停止位置を視覚的に示した説明図である。
【図４】光ディスクのエラー位置を、目視した光ディスクに合わせて画面表示する方法を視覚的に示した説明図である。
【図５】本発明の光ディスク検査装置が実行するプログラムのフローチャートである。
【図６】本発明の光ディスク検査装置が実行する別のプログラムのフローチャートである。
【図７】本発明の光ディスク検査装置が実行するさらに別のプログラムのフローチャートである。
【図８】識別コードが記録された光ディスクの説明図である。
【図９】識別コードと識別コードの再生信号の波形とを対比させた説明図である。
【図１０】従来の光ディスク検査装置における同一ディスクの検査において、エラー位置の画面表示が測定ごとに異なることを示す説明図である。
【符号の説明】
【００５６】
１・・・・・光ディスク検査装置
１０２・・・ＨＦ信号増幅回路
１０４・・・フォーカスエラー信号生成回路
１０６・・・フォーカスサーボ回路
１０８・・・ドライブ回路
１２０・・・トラッキングエラー信号生成回路
１２２・・・トラッキングサーボ回路
１２４・・・ドライブ回路
１３０・・・再生信号生成回路
１３２・・・２値化信号生成回路
１３４・・・ＢＣＡデータ読み出し回路
１３６・・・ＢＣＡデータデコード回路
１４０・・・ウォブル信号取り出し回路
２０１・・・光ピックアップ装置
２０２・・・レーザ駆動回路
２０６・・・信号切換回路
２０８・・・クロック信号発生回路
２１０・・・Ａ／Ｄ変換器
２１２・・・エラー判定回路
２１４・・・データ保存回路（１）
３０１・・・スピンドルモータ
３０２・・・スピンドルモータ制御回路
３０６・・・ターンテーブル
３１２・・・回転角度検出回路
３１４・・・データ保存回路（２）
４００・・・フィードモータ
４０２・・・フィードモータ制御回路
４１２・・・半径位置検出回路
４１４・・・データ保存回路（３）
５０２・・・コントローラ
５０４・・・入力装置
５０６・・・表示装置
ＤＫ・・・・光ディスク
【図１】
0004569604.tif 000002
【図２】
0004569604.tif 000003
【図３】
0004569604.tif 000004
【図４】
0004569604.tif 000005
【図５】
0004569604.tif 000006
【図６】
0004569604.tif 000007
【図７】
0004569604.tif 000008
【図８】
0004569604.tif 000009
【図９】
0004569604.tif 000010
【図１０】
0004569604.tif 000011